(57)【要約】      （修正有）【課題】外耳道の耳垢を掻く竹や木製の耳かき具において、収納しにくく、不衛生になりがちであると共に、持ち歩きにも不便であり、また、簡易的な収納型においては、柄の柔軟性が得られない欠点を改善した耳かき具を提供する。【解決手段】円柱状の支持台４ａに掻き軸部４の軸側を取り付け、支持台４ａを移動することで掻き軸部４を収納ケース３から出し入れする事により収納する。また、掻き軸部４を竹や木製とする。支持台４ａの上部を筒状とし、掻き軸部４の軸を屈曲しやすくする。また、収納ケース３などの表面に模様を施しデザイン性を向上させた。さらに、竹や木材の素材に含浸剤を含浸したことことを特徴とする耳かき具。  【選択図】図１
0003179742.tif 000002
【実用新案登録請求の範囲】
【請求項１】
収納ケースに収納する耳かき具において、
掻き部に掻き部を支える棒状体の軸を備え掻き軸部とし、
前記掻き軸部の軸端を略柱状の支持台に取り付け、
支持台と共に掻き軸部を筒状のケースに収納出来る収納ケースを備えた
ことを特徴とする耳かき具。
【請求項２】
請求項１に記載の耳かき具であって
前記掻き軸部を竹や木製とし、支持台に接着した
ことを特徴とする耳かき具。
【請求項３】
請求項１から２のいずれかに記載の耳かき具であって
前記支持台の上部に前記掻き軸部の前記軸部を隙間を設けて囲むように筒状で覆う筒状態を備え、
前記軸部が前記支持台の底辺を略支点にし前記支持台内部で軸が屈曲する
ことを特徴とする耳かき具。
【請求項４】
請求項１から３のいずれかに記載の耳かき具であって
竹や木に含浸剤を含浸した
ことを特徴とする耳かき具。
【請求項５】
請求項１から４のいずれかに記載の耳かき具であって
前記収納ケースをさらに収納する筒状のキャップを備えた
ことを特徴とする耳かき具。
【請求項６】
請求項１から５のいずれかに記載の耳かき具であって
前記収納ケースまたは、キャップの表面に模様を施した
ことを特徴とする耳かき具。
【請求項７】
請求項１から６のいずれかに記載の耳かき具であって
前記収納状態で全長を１００ｍｍ以下とした
ことを特徴とする耳かき具。
【考案の詳細な説明】
【技術分野】
【０００１】
本考案は、耳かき具に関する。
【背景技術】
【０００２】
現在、耳の外耳を掃除するものとして、綿棒や耳かき具が使用されている。
【０００３】
耳かき具は、耳垢を取る用具として、細い棒状の柄の先端に匙状の部分を備えた竹製や金属製の耳かき具が使用されて来たが、近年、掻きすぎによる外耳道の傷つけ防止対策を考慮などの理由からシリコンゴムを利用したものや、ワイヤをループ状に重ねたもの、ワイヤをコイル状にした耳かき具などがある。しかし、そのような中でも竹製の耳かき具は現在も需要が根強い。しかし、竹製の耳かき具は、竹の抗菌性、殺菌性、脱臭性などの作用や、特に柄に竹の弾力を利用し（外圧を和らげるダンパー機能）した利点があるものの、ケースに収納したり、携帯出来るものが無く、机の上に立てかけたり、引き出しにそのまま入れられたりし、不衛生となるばかりか、先端などを破損したり割れたりする事が有り保管や、持ち歩きに問題が有った。
特許文献１に、筆記用具に出没可能な耳掻きを内装したものが開示されている。
特許文献２には、ＬＥＤの付いた発光式でキャップを付ける耳かきが開示されている。
特許文献３には、ＬＥＤの付いた発光式で収納ケースの付いた綿棒タイプの耳かきが開示されている。
特許文献１では、耳垢掻き出し部を形成した棒体を出し入れしており、棒体にスプリングが巻かれ、棒体が機構を支えており、棒体の強度が要求される事などから、耳かき特有の掻く際の棒体のしなり（外圧を和らげるダンパーの役割）が期待（利用）できない構造である。また、棒体に直接スプリングを巻くことにより、竹材を使用した場合などに棒体に傷を付け、しいては、耳を傷つけかねない懸念があった。さらに、収納が筆記具の長さに制限される事により本体全体が短くできないなどの問題がある。特許文献２，３では、掻き部及び誘導光部に透過性のある材料を使用しており、掻き部が竹や木製では無い。また、電池を入れる構造で、デザイン性に制限がある。特許文献３では、綿棒タイプである。また、含浸剤による含浸を施していない。さらには、化粧ポーチなどに収まるデザイン性の高い耳かきは無かった。
【先行技術文献】
【特許文献】
【０００４】
【特許文献１】公開特許公報２００７−８１３７公報
【特許文献２】公開特許公報２００３−１１６７３９公報
【特許文献３】公開特許公報２００３―４６９公報
【考案の概要】
【考案が解決しようとする課題】
【０００５】
本考案は、耳かき具において、柄で外圧を和らげるダンパー機能などの従来の耳かきと同じ機能と使用感を備えると共に、携帯に便利はサイズに収納でき、化粧ポーチなどに入れ持ち運びやすいデザイン性の優れた耳かきを提供しようとするものである。
【課題を解決するための手段】
【０００６】
上記課題を解決するために、本考案に係る耳かき具の一例は、収納ケースに収納する耳かき具において、掻き部に掻き部を支える軸を備え掻き軸部とし、前記掻き軸部の軸端を略柱状の支持台に取り付け、支持台と共に掻き軸部を筒状のケースに収納出来る収納ケースを備え、前記掻き軸部を竹や木製とし、支持台に接着したことを特徴とする耳かき具である。
【考案の効果】
【０００７】
本考案によれば、従来からの耳かきの特性を生かしながら、収納ケースに収納することにより、持ち運びが便利になると共に、デザイン性に優れた耳かき具を提供することが可能となり、外出先での使用が容易になることで、気になる洋服などに落下する耳垢の防止や、外出先での急な耳かきの衝動に駆られた際の対応が出来る。また、収納をすることにより衛生的で、破損しにくい耳かき具が提供できる。
【図面の簡単な説明】
【０００８】
【図１】本考案の実施例１の内部を示す一部断面図とした（ａ）使用時の状態、（ｂ）収納時の状態である。
【図２】本考案の実施例２の（ａ）使用時の状態、（ｂ）キャップをしめる前の状態、（ｃ）キャップを閉めた状態の平面図である。
【図３】本考案の実施例３の断面図である。
【図４】本考案の実施例３の変形例を示した平面図である。
【考案を実施するための形態】
【０００９】
本考案の実施の形態について、以下、図に基づいて説明する。
【００１０】
図１は、本考案の実施例１を示し、耳かき具１の（ａ）使用時の状態、（ｂ）収納時の状態の一部の内部を表した断面図を示す。耳かき具１は、略柱状の支持台４ａに掻き部Ｋに軸Ｊを備えた掻き軸部４の軸端を取り付け（例えば、支持台と掻き軸部を一体成形、竹材時には接着剤で接着）、収納ケース３の内部にコイルスプリングＳと共に挿入する。また、支持台４ａにはコイルスプリングＳを受け止める段差が設けられている。また、収納ケース３にはスライド溝６を設け、支持台４ａには留めピン５がスライド溝６をスライドするように支持台４ａに固定止めするとともに、支持台４ａを収納ケース３に挿入するものである。また、スライド溝６の図中の上方向に、屈曲溝Ｕを設けたものを示す。さらに、収納ケース３の図中の上部はコイルスプリングＳの外形より細く絞られているとともに、図中の下方には、収納後裏蓋７が例えば接着し閉じられる。図１（ａ）には、スライド溝６の屈曲溝Ｕに留めピン５が圧縮されたコイルスプリングＳの力で仮固定され、コイルスプリングＳを圧縮した状態で掻き軸部Ｊが収納ケース３から外部に出た状態が保たれた状態を示す。
図１（ｂ）には、留めピン５を屈曲溝Uから外すことにより、コイルスプリングＳの力で、留めピン５がスライド溝６をスライドし図中の下方に移動すると共に、収納ケース３から掻き軸部４が収納ケース３内に収まり収納した状態を示す。
また、この収納時の全長は例えば８５ｍｍとなり、コンパクトに収納される。また、図１（ａ）の使用状態においては例えば１３０ｍｍとなり耳かき具として持ちやすく扱いやすい長さとなる。
【００１１】
さらに、収納ケース３はほぼ真直な筒状のため、例えばアルミニュームの筒とし、アルマイト処理による重ね模様（二重アルマイト処理）による装飾を施すことによりデザイン性を高めることができる。また、シルク印刷などを施しても良い。
このように、従来の機能を維持しつつ、コンパクトで、デザイン性に優れ、持ち運びに便利な耳かき具となる。
また、ここで掻き軸部４を竹や木で形成することにより、従来からの使い心地を取り入れた耳かき具となる。
また、掻き軸部の有効長Ｌ１を例えば３５ｍｍとすることで、軸Ｊが外圧を和らげるダンパーの機能を得ることができる。
さらに、竹や木材に対し含浸を行うことにより、含浸剤が柔細胞や維管束鞘内の導管、師管の空洞を含浸剤で埋めることにより、掻き部の先端付近をなめらかに加工仕上げることができる。
例えば、竹材にエポキシ樹脂剤を真空含浸処理することにより、竹材の柔細胞や、維管束鞘の空洞である導管や師管部にエポキシ樹脂が含浸され、ほぼ均一な強度の素材とすることができる。これにより、特に掻き部先端付近の切削加工時の硬度の違いから起こる凸凹や、使用時に発生する凸凹の発生を防止することができるものである。
含浸方法は、真空含浸が最良であるが減圧含浸、加圧含浸でも良い。
含浸を行っても維管束鞘は、模様として残り、従来の竹製の風合いが反映される。また、含浸する事により、乾燥の浅い、または、乾燥年月の経っていない竹材でも、柔細胞部の色合いが濃くなり例えば、すすだけの風合いを出すことや、含浸剤に色（例えば鮮やかなピンクや青、緑色）を加えることにより、今までにない新たなデザイン性を向上する事が出来る。
また、竹材の乾燥を長期間行わずとも、含浸することにより強度を上げる事が出来るため、生産性が向上する。乾燥後の維管束鍔はセルロース繊維のため含浸剤の浸透は少ない。
以下、上記に示した同じ説明は省略する。
【００１２】
図２は本考案の実施例２を示し、直線上のスライド溝６とし、キャップ２によりスライド溝状の留めピン５を可動させ収納ケース３内の支持台４ａと共に掻き軸部４を図中の上下方向に可動し、掻き軸部４を収納ケース３から出し入れする機構の耳かき具１ａを示す。キャップ２は、一方が塞がった筒状体で開放口側の口元にはリング状の板ばね８が設けられ、収納ケース３の外形を板バネ８で適度に押しつけることにより収納ケース３とキャップ２が適度な堅さで嵌合するものであり、収納ケース３をキャップ２が移動するに伴い留めピン５が支持台と共に掻き軸部４を移動させる。図２（ａ）は掻き軸部４が出た状態、すなわち耳かきをする状態を示す。（ｂ）は収納状態でキャップをしていない状態を示す。（ｃ）は収納し、キャップ２を被せた状態を示す。また、この際に、全長は例えば８５ｍｍのコンパクトサイズとなるとともに、収納ケースの両側が塞がれゴミなどが入らず衛生的に保管できる。また、使用時の長さは例えば１５０ｍｍとなり、耳かきとして手に持ちやすく、扱いやすい適度な長さが得られる。
【００１３】
図３は、本考案の実施形態３の実施例を示す。耳かき具１ｂは支持台４ｂの上部に掻き軸部４の軸部に隙間Ｓａを設け、軸Ｊを囲むように筒状に覆う筒状体とし、軸Ｊを支持台４ｂの図中下部に接着部Ｃで接着したものである。すなわち、柱状の支持部４ｂに図中上部に空洞Ｓａ部を設けたものを示す。この空洞Ｓａにより軸部が支持台４ｂの底辺を略支点にし支持台４ｂ内部で軸Ｊが屈曲する。これにより、掻き軸部４の軸部が長くなり、耳かき時に屈曲し、外圧を和らげるダインパーの役割を促進することができる。例えば、掻き軸部４の接着部を除いた有効長Ｌ２を６０ｍｍとすることが出来る。これにより従来の竹の耳かきとほとんど変わらないダンパーの役割が同じ様な掻き部形状で得られるものである。
また、図には示さないが、支持台の上部に向かうに従い、隙間を広くしても良い。
（ｂ）は、（ａ）の矢印の方向から支持部を示したものであり、掻き軸部４の軸は支持部４ｂの中心に取り付けられている。
【００１４】
図４は、本考案の実施例３の変形例を示す。図３（ｂ）と同じ様に、支持部４ｂを上部矢印の方向から見た状態を示したものである。図４（ａ）は、図３（ｂ）と異なり、支持台４ｃの中心線上でなく、図中上部に軸中心からはずれた例を示す。匙状の耳かき１の掻き部Ｋは軸中心から一方方向に曲がっているため、小型な収納ケースからの出し入れに収納ケース口に当たりやすいことを解決する。また、使用時に力の加わる掻き部の先端（作用部）が中心より手前となることにより、軸が回転する方向に作用することを防止するものであり、より使いやすい耳かき具となる。
さらに図４（ｂ）は軸Ｊａの断面を角形とすることにより、外力を和らげるダンパー処理を向上させるものである。従来の軸断面が丸型の形状は、３６０℃各方向に平均的に曲がる力が一定していたが、角形とすることで、さじ部先端方向からの力を先端方向の裏側方向の力が少なくなり、さじ部先端で掻く時のダンパー効果をより向上させることが可能になるものである。さらに、角形を掻き部の先端側と裏側の面の厚さを薄くすることにより、一層効果を上げることができる。また、ここで、空間Ｓｃも角形としている。
【００１５】
また、前記で記載したの含浸処理は、含浸を先に行い形成しても、竹材を曲げ加工した後に含浸を行ってもよく、仕上げ前に含浸を行うことにより浸透性向上や、含浸材や部材のムダ減らすことを可能になる。
上記記載では竹製を前提にしているが、木製においても導管や師管が同じ様に存在しするので同じ事とし説明を割愛する。また、一般に木製は黒檀の様に硬度の高い素材を除き折れやすい為、竹と同じ様に繊維に沿って形成するのが望ましい。また、その際に全体を含浸する事により硬度を増すことが出来るので有効である。
【００１６】
含浸剤として、エポキシ、アクリル、ポリフェノール系樹脂などの硬質系が適切で、他に、ポリエチレン、ポリウレタン、シリコーン系樹脂や、複合剤を利用しても良い。
また、セラミックスゾル、またはセラミックスゾルと金属塩水溶液の混合液を、減圧下で木材の空隙中に強制注入して硬化させる方法や、ガラス成分を含浸させる方法や、トロポロン類を含浸させる方法がある。これらは、それぞれの利点と欠点に応じて利用しても良い。
また、含浸を行う事により、水分の吸収性を押さえる事が出来るために衛生的な上に、水洗いなどや、アルコール消毒が容易となり衛生的となる。また、トロポロン類などにより殺菌性を向上させる事も出来る。さらに、ささくれや、ひび割れ、変形を押さえる事が出来る。
また、竹材により形成された耳かき具の先端に、同様の含浸材などを塗布しても良い。
【００１７】
以上、本考案の実施形態例及び含浸の種類を説明した。本考案は、これらに制限されることなく、その技術的思想の範囲内でさらに様々な変形が可能であり、それらは全て本考案に含まれる。
【符号の説明】
【００１８】
１・１ａ・１ｂ・１ｃ：耳かき具、２：キャップ、３：収納ケース、４：掻き軸部、４ａ・４ｂ・４ｃ・４ｄ：支持台、５：留めピン、６：スライド溝、７：蓋、Ｓ：コイルスプリング、９：板ばね、Ｊ・Ｊａ：軸、Ｋ：掻き部、Ｓａ・Ｓｂ・Ｓｃ：空洞、Ｕ：屈曲溝
【図１】
0003179742.tif 000003
【図２】
0003179742.tif 000004
【図３】
0003179742.tif 000005
【図４】
0003179742.tif 000006